(57)【特許請求の範囲】
【請求項１】
操作者によって覗き込まれた状態で画像が視認される第１の表示部と、
操作者によって覗き込まれることなく画像が視認される第２の表示部と、
前記第２の表示部の少なくとも一部の領域に設けられ、前記操作者の指の接触及び指の移動を検出する入力検出部と、
前記入力検出部によって前記操作者の指の接触が検出された場合に、前記第１の表示部に表示装置の設定に係る指標の表示を開始させ、前記入力検出部によって前記操作者の指の移動が検出された場合に、該指の移動の状態に従って前記指標の表示位置を移動させ、
前記第１の表示部に前記指標を表示している場合には、前記第２の表示部の所定位置への前記操作者の指の接触操作と前記第２の表示部へのダブルタップ操作とを前記表示装置の設定を終了させる操作として許可する制御部と、
を具備することを特徴とする表示装置。
【請求項２】
前記制御部は、前記入力検出部によって検出された前記指の接触位置に応じた前記第１の表示部上の位置から前記指標の表示を開始させることを特徴とする請求項１に記載の表示装置。
【請求項３】
前記制御部は、前記入力検出部によって検出された前記指の接触位置によらない前記第１の表示部上の第１の所定の位置から前記指標の表示を開始させることを特徴とする請求項１に記載の表示装置。
【請求項４】
前記制御部は、前記入力検出部によって前記指の非接触が検出された場合又は前記第２の表示部上の第２の所定の位置への前記指の移動が検出された場合に、前記指標の表示を終了させることを特徴とする請求項１乃至３の何れか１項に記載の表示装置。
【請求項５】
前記制御部は、前記入力検出部によって前記指の非接触が検出された後、再度、前記入力検出部によって前記指の接触が検出された場合に、該指の接触位置に応じた前記第１の表示部上の位置から前記指標の表示を再開することを特徴とする請求項４に記載の表示装置。
【請求項６】
前記制御部は、前記入力検出部によって前記指の非接触が検出された後、再度、前記入力検出部によって前記指の接触が検出された場合に、該指の接触位置によらない前記第１の表示部上の第１の所定の位置から前記指標の表示を再開することを特徴とする請求項４に記載の表示装置。
【請求項７】
前記制御部は、前記入力検出部によって特定の指の移動の状態が検出された場合に、前記指標が位置している当該表示装置の設定を確定することを特徴とする請求項１乃至６の何れか１項に記載の表示装置。
【請求項８】
前記制御部は、前記入力検出部によって検出された前記指の移動に応じて前記第１の表示部上の離散的に複数定められた位置に前記指標の表示位置を順次移動させることを特徴とする請求項１乃至７の何れか１項に記載の表示装置。
【請求項９】
前記制御部は、前記入力検出部によって検出された前記指の移動の速度に応じて前記指標の移動幅を変更することを特徴とする請求項８に記載の表示装置。
【請求項１０】
前記第２の表示部の少なくとも一部の領域が変更されることを特徴とする請求項１乃至９の何れか１項に記載の表示装置。
【請求項１１】
前記制御部は、前記第１の表示部に表示がされていないときに前記入力検出部で入力が検出された場合は、前記入力検出部の入力位置に対応する前記第２の表示部上の位置に指標を表示させることを特徴とする請求項１乃至１０の何れか１項に記載の表示装置。
【請求項１２】
操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部とを具備する表示装置における表示方法であって、
前記入力検出部によって前記操作者の指の接触が検出された場合に、前記第１の表示部に前記表示装置の設定に係る指標の表示を開始させ、
前記入力検出部によって前記操作者の指の移動が検出された場合に、該指の移動の状態に従って前記指標の表示位置を移動させ、
前記第１の表示部に前記指標を表示している場合には、前記第２の表示部の所定位置への前記操作者の指の接触操作と前記第２の表示部へのダブルタップ操作とを前記表示装置の設定を終了させる操作として許可する、
ことを特徴とする表示方法。
【請求項１３】
操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部とを具備する表示装置の制御部によって実行される表示プログラムであって、前記制御部に、
前記入力検出部によって前記操作者の指の接触が検出された場合に、前記第１の表示部に前記表示装置の設定に係る指標の表示を開始させる機能と、
前記入力検出部によって前記操作者の指の移動が検出された場合に、該指の移動の状態に従って前記指標の表示位置を移動させ、
前記第１の表示部に前記指標を表示している場合には、前記第２の表示部の所定位置への前記操作者の指の接触操作と前記第２の表示部へのダブルタップ操作とを前記表示装置の設定を終了させる操作として許可する機能と、
を実現させるための表示プログラム。
【発明の詳細な説明】
【技術分野】
【０００１】
本発明は、覗き込み型の表示部を有する表示装置、表示方法及び表示プログラムに関する。
【背景技術】
【０００２】
デジタルカメラ等の撮像装置において、覗き込み型の表示部（ファインダ）を備えたものが多く知られている。このような覗き込み型のファインダを用いることにより、ユーザは、撮像装置をしっかりと把持しつつ、被写体の観察を行うことが可能である。
一方、近年の撮像装置においては、例えば撮像装置の背面のモニタ上にタッチセンサを設けたものも知られている。このようなタッチセンサを用いることにより、ユーザは、撮像装置の操作を直感的に行うことが可能である。
【０００３】
ここで、覗き込み型のファインダとタッチセンサとを併用した場合、タッチセンサが撮像装置の背面側に設けられていると、ファインダを覗いた際にユーザの鼻等がタッチセンサに接触してタッチセンサが誤動作してしまう可能性がある。このため、特許文献１では、ユーザがファインダを覗き込んでいると推定された場合には、鼻等が接触しない一部の領域でのみタッチセンサを用いたタッチ操作を有効とするようにしている。
【先行技術文献】
【特許文献】
【０００４】
【特許文献１】特開２０１０−１３４０７７号公報
【発明の概要】
【発明が解決しようとする課題】
【０００５】
特許文献１では、タッチ操作可能な領域を制限することにより、例えばオートフォーカス（ＡＦ）時のＡＦターゲットの指定等、画面内の全域を直接指定する必要があるタッチ操作が困難となる。ユーザがファインダを覗き込んでいる場合もファインダを覗き込んでいない場合と同様の操作性でタッチセンサを操作できることが望ましい。
【０００６】
本発明は、前記の事情に鑑みてなされたもので、覗き込み型の表示部とタッチセンサとを併用した表示装置において、ユーザが表示部を覗き込んだ場合のタッチセンサの操作性を向上することが可能な表示装置、表示方法及び表示プログラムを提供することを目的とする。
【課題を解決するための手段】
【０００７】
前記の目的を達成するために、本発明の第１の態様の表示装置は、操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部と、前記入力検出部によって前記操作者の指の接触が検出された場合に、前記第１の表示部に表示装置の設定に係る指標の表示を開始させ、前記入力検出部によって前記操作者の指の移動が検出された場合に、該指の移動の状態に従って前記指標の表示位置を移動させ、前記第１の表示部に前記指標を表示している場合には、前記第２の表示部の所定位置への前記操作者の指の接触操作と前記第２の表示部へのダブルタップ操作とを前記表示装置の設定を終了させる操作として許可する制御部とを具備することを特徴とする。
前記の目的を達成するために、本発明の第２の態様の表示方法は、操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部とを具備する表示装置における表示方法であって、前記入力検出部によって前記操作者の指の接触が検出された場合に、前記第１の表示部に前記表示装置の設定に係る指標の表示を開始させ、前記入力検出部によって前記操作者の指の移動が検出された場合に、該指の移動の状態に従って前記指標の表示位置を移動させ、前記第１の表示部に前記指標を表示している場合には、前記第２の表示部の所定位置への前記操作者の指の接触操作と前記第２の表示部へのダブルタップ操作とを前記表示装置の設定を終了させる操作として許可することを特徴とする。
前記の目的を達成するために、本発明の第３の態様の表示プログラムは、操作者によって覗き込まれた状態で画像が視認される第１の表示部と、操作者によって覗き込まれることなく画像が視認される第２の表示部と、前記第２の表示部の少なくとも一部の領域に設けられ、前記操作者の指の接触及び指の移動を検出する入力検出部とを具備する表示装置の制御部によって実行される表示プログラムであって、前記制御部に、前記入力検出部によって前記操作者の指の接触が検出された場合に、前記第１の表示部に前記表示装置の設定に係る指標の表示を開始させる機能と、前記入力検出部によって前記操作者の指の移動が検出された場合に、該指の移動の状態に従って前記指標の表示位置を移動させ、前記第１の表示部に前記指標を表示している場合には、前記第２の表示部の所定位置への前記操作者の指の接触操作と前記第２の表示部へのダブルタップ操作とを前記表示装置の設定を終了させる操作として許可する機能とを実現させる。
【発明の効果】
【０００８】
本発明によれば、覗き込み型のファインダとタッチセンサとを併用した表示装置において、ユーザがファインダを覗き込んだ場合のタッチセンサの操作性を向上することが可能な表示装置、表示方法及び表示プログラムを提供することができる。
【図面の簡単な説明】
【０００９】
【図１】本発明の一実施形態に係る表示装置の一例としてのデジタルカメラの外観背面図である。
【図２】本発明の一実施形態に係るデジタルカメラの内部の構成を示すブロック図である。
【図３】デジタルカメラのメイン動作について示すフローチャートである。
【図４】ＡＦ動作に係る背面モニタタッチ処理の詳細を示したフローチャートである。
【図５】ＡＦ動作に係るファインダタッチ処理の詳細を示したフローチャートである。
【図６】パラメータ設定に係る背面モニタタッチ処理の詳細を示したフローチャートである。
【図７】パラメータ設定に係るファインダモニタタッチ処理の詳細を示したフローチャートである。
【図８】ファインダタッチ処理時における画面表示を例示した図である。
【発明を実施するための形態】
【００１０】
以下、図面を参照して本発明の実施形態を説明する。  
図１は、本発明の一実施形態に係る表示装置を備えた撮像装置の一例としてのデジタルカメラ（以下、カメラと言う）の外観背面図である。ここで、図１（ａ）は第１の例のカメラの外観背面図を示し、図１（ｂ）は第２の例のカメラの外観背面図を示している。図１（ａ）及び図１（ｂ）に示すカメラは、それぞれ、レンズ交換式のカメラを例示している。しかしながら、以下で説明する本実施形態の技術は、レンズ交換式のカメラにのみ適用されるものではない。
【００１１】
図１（ａ）及び図１（ｂ）に示すカメラ１０は、交換レンズ１００と、カメラボディ２００とを有している。交換レンズ１００は、カメラボディ２００に設けられた図示しないレンズマウントを介してカメラボディ２００に着脱自在に構成されている。交換レンズ１００がカメラボディ２００に装着されることによって、交換レンズ１００とカメラボディ２００とが通信自在に接続される。
【００１２】
図１（ａ）に示すカメラボディ２００の背面には、接眼レンズ２１３と、アイセンサ２１２と、背面モニタ２１４とが配置されている。また、カメラボディ２００の上面には、電源スイッチ２１６１と、シャッタボタン２１６２と、が操作部として配置されている。さらに、カメラボディ２００の背面には、設定ボタン２１６３と、操作ダイヤル２１６４と、が操作部として配置されている。また、図１（ｂ）に示すに示すカメラボディ２００の背面には、接眼レンズ２１３と、アイセンサ２１２と、背面モニタ２１４とが配置されている。また、カメラボディ２００の上面には、電源スイッチ２１６１と、シャッタボタン２１６２と、が操作部として配置されている。
【００１３】
図２は、カメラ１０の内部の構成を示すブロック図である。図２に示すように、交換レンズ１００は、撮影レンズ１０１と、絞り機構１０２と、フォーカス駆動機構１０３と、絞り駆動機構１０４と、レンズＣＰＵ１０５と、を有している。
撮影レンズ１０１は、図示しない被写体からの光を、カメラボディ２００の内部の撮像素子２０４に結像させるための光学系である。この撮影レンズ１０１は、フォーカスレンズを有している。フォーカスレンズは、図の一点鎖線で示す光軸方向に駆動されて撮影レンズ１０１のフォーカスを調整する。絞り機構１０２は、撮影レンズ１０１を介して撮像素子２０４に入射する被写体からの光の量を調整する。
【００１４】
フォーカス駆動機構１０３は、モータ等を有し、レンズＣＰＵ１０５の制御のもと、フォーカスレンズをその光軸方向に駆動させる。絞り駆動機構１０４は、モータ等を有し、レンズＣＰＵ１０５の制御のもと、絞り機構１０２を開閉駆動させる。
レンズＣＰＵ１０５は、交換レンズ１００がカメラボディ２００に装着された際に通信端子１０６を介してカメラボディ内のシーケンスコントローラ（ボディＣＰＵ）２２０１と通信自在に接続される。このレンズＣＰＵ１０５は、ボディＣＰＵ２２０１からの制御に従ってフォーカス駆動機構１０３や絞り駆動機構１０４の動作を制御する。
【００１５】
カメラボディ２００は、フォーカルプレーンシャッタ（シャッタ）２０１と、シャッタ駆動機構２０２と、フィルタ群２０３と、撮像素子２０４と、撮像素子駆動回路２０５と、前処理回路２０６と、ＳＤＲＡＭ２０７と、フラッシュメモリ２０８と、記録媒体２０９と、モニタ駆動回路２１０と、ファインダ用モニタ２１１と、接眼レンズ２１３と、アイセンサ２１２と、背面モニタ２１４と、タッチセンサ２１５と、操作部２１６と、着脱検知スイッチ２１７と、電源供給回路２１８と、電池２１９と、制御回路２２０と、を有している。
【００１６】
シャッタ２０１は、撮像素子２０４の光電変換面に対して進退自在に配置されている。このシャッタ２０１は、シャッタ駆動機構２０２によって駆動されて撮像素子２０４の光電変換面を露出状態又は遮光状態とする。シャッタ駆動機構２０２は、ボディＣＰＵ２２０１の制御に従ってシャッタ２０１を開閉駆動させる。このようなシャッタ２０１の駆動によって撮像素子２０４の露光時間が調整される。
【００１７】
フィルタ群２０３は、撮影レンズ１０１を介して入射してくる光の赤外成分を除去する赤外カットフィルタや撮影レンズ１０１を介して入射してくる光の高周波成分を除去するローパスフィルタといった複数のフィルタを有している。
撮像素子２０４は、複数の画素が配置された光電変換面を有し、撮影レンズ１０１を介して光電変換面上に結像された被写体からの光を電気信号（画像信号）に変換する。撮像素子駆動回路２０５は、入出力回路２２１１を介したボディＣＰＵ２２０１からの指示に従って撮像素子２０４を駆動制御するとともに、撮像素子２０４で得られた画像信号の読み出しを制御する。前処理回路２０６は、撮像素子駆動回路２０５を介して撮像素子２０４から読み出された画像信号に対してノイズ除去や増幅等のアナログ処理や、アナログ処理した画像信号をデジタル信号（画像データ）に変換する処理といった前処理を行う。
【００１８】
ＳＤＲＡＭ２０７は、前処理回路２０６において得られたデータ等を一時格納しておくためのバッファメモリである。フラッシュメモリ２０８は、ボディＣＰＵ２２０１によって読み出される制御プログラムやカメラボディ２００の各種の設定値等を記憶するメモリである。記録媒体２０９は、例えばカメラボディ２００に対して着脱自在に構成されたメモリカードであり、圧縮伸長回路２２０７において圧縮された画像データを記録する。
【００１９】
モニタ駆動回路２１０は、ビデオ信号出力回路２２０８から入力されたビデオ信号に従ってファインダ用モニタ２１１や背面モニタ２１４を駆動してそれぞれのモニタの画面上に画像を表示させる。
第１の表示部として機能するファインダ用モニタ２１１は、覗き込み型のファインダ用のモニタである。即ち、ファインダ用モニタ２１１は、ユーザによって覗き込まれた状態で画像が視認される。このファインダ用モニタ２１１としては例えば液晶モニタが用いられる。ファインダ用モニタ２１１は、モニタ駆動回路２１０によって駆動されて、撮像素子２０４を介して得られる被写体観察用の画像を表示する。また、後述するが、本実施形態におけるファインダ用モニタ２１１は、被写体観察中のＡＦ（オートフォーカス）設定を行うための表示やパラメータ設定を行うための画面の表示も行う。接眼レンズ２１３は、ファインダ用モニタ２１１の画面上に表示されている画像をユーザの眼に結像させるための接眼光学系である。アイセンサ２１２は、ユーザがファインダ用モニタ２１１を覗いているか否かを検出するためのセンサである。このアイセンサ２１２としては、例えば赤外線センサを用いることが可能である。
【００２０】
第２の表示部として機能する背面モニタ２１４は、図１で示したようにカメラボディ２００の背面に露出するように配置されている。この背面モニタ２１４は、モニタ駆動回路２１０によって駆動されて、圧縮伸長回路２２０７で伸長された画像等の各種の画像を表示する。この背面モニタ２１４は、ファインダ用モニタ２１１と異なり、ユーザによって覗き込まれることなく、画像が視認される。また、後述するが、本実施形態における背面モニタ２１４は、被写体観察中のＡＦ設定を行うための表示やパラメータ設定を行うための画面の表示も行う。タッチセンサ２１５は、背面モニタ２１４と一体的に設けられており、ユーザの指の接触をユーザからの操作として検出する。ここで、タッチセンサ２１５として、抵抗膜方式や静電容量方式等、各種の方式のタッチセンサを用いることが可能である。
【００２１】
操作部２１６は、図１で示した電源スイッチ２１６１、シャッタボタン２１６２、設定ボタン２１６３、操作ダイヤル２１６４、といった各種の操作部である。電源スイッチ２１６１は、ユーザがカメラボディ２００の電源のオンオフを指示するための操作部である。シャッタボタン２１６２は、ユーザが撮影実行の指示をするための操作部である。設定ボタン２１６３は、ユーザが各種のパラメータ設定等を行うための操作部群である。操作ダイヤル２１６４は、ダイヤル式の操作部である。この操作ダイヤル２１６４も各種のパラメータ設定等に用いられる。
【００２２】
ここで、図１（ｂ）に示すカメラボディ２００の背面には、設定ボタン２１６３と操作ダイヤル２１６４とが設けられていない。図１（ｂ）に示すカメラ１０においては、設定ボタン２１６３と操作ダイヤル２１６４の機能がタッチセンサ２１５に割り当てられているものである。
【００２３】
着脱検知スイッチ２１７は、カメラボディ２００に交換レンズ１００が装着された際にオンするスイッチであり、オンすることによって、カメラボディ２００に交換レンズ１００が装着されたことを示す信号を操作入力検知回路２２１０に出力する。
電源供給回路２１８は、電池２１９の電圧をカメラボディ２００の各ブロックが必要とする電圧に変換する。そして、電源供給回路２１８は、変換した電池２１９の電圧をカメラボディ２００の各ブロックに供給する。電池２１９は、例えば２次電池であって、カメラボディ２００の電源として機能する。
【００２４】
制御回路２２０は、カメラボディ２００の各種の動作を制御する。この制御回路２２０は、シーケンスコントローラ（ボディＣＰＵ）２２０１と、コントラストＡＦ回路２２０２と、ＳＤＲＡＭ制御回路２２０３と、フラッシュメモリ制御回路２２０４と、記録媒体制御回路２２０５と、画像処理回路２２０６と、圧縮伸長回路２２０７と、ビデオ信号出力回路２２０８と、タッチセンサ入力回路２２０９と、操作入力検知回路２２１０と、入出力回路２２１１と、通信回路２２１２と、データバス２２１３と、を有している。
【００２５】
ボディＣＰＵ２２０１は、制御回路２２０内の各回路の動作を統括して制御する。また、本実施形態におけるボディＣＰＵ２２０１は、制御部としての機能も有し、タッチセンサ入力回路２２０９からの出力に従ってファインダ用モニタ２１１や背面モニタ２１４における指標の表示位置の更新も行う。この指標は、後述するカメラ１０の設定を変更したり確定したりするために用いられる。
【００２６】
コントラストＡＦ回路２２０２は、撮像素子２０４を介して得られる画像データから画像のコントラストを評価するための評価値を算出する。ボディＣＰＵ２２０１は、この評価値に従ってフォーカスレンズのＡＦ制御を行う。
ＳＤＲＡＭ制御回路２２０３は、ＳＤＲＡＭ２０７へのデータの書き込み及び読み出しを制御する。フラッシュメモリ制御回路２２０４は、フラッシュメモリ２０８へのデータの書き込み及び読み出しを制御する。記録媒体制御回路２２０５は、記録媒体２０９へのデータの書き込み及び読み出しを制御する。
【００２７】
画像処理回路２２０６は、前処理回路２０６において得られ、ＳＤＲＡＭ２０７に格納された画像データに対して各種の画像処理を施す。この画像処理は、画像の色バランスを補正するホワイトバランス補正処理、画像の色を補正する色補正処理、画像の階調を補正する階調補正処理等が含まれる。画像処理回路２２０６において画像処理された画像データはＳＤＲＡＭ２０７に再び格納される。圧縮伸長回路２２０７は、画像処理後の画像データを読み出し、読み出した画像データをＪＰＥＧ方式等の所定の圧縮形式で圧縮する。また、圧縮伸長回路２２０７は、画像の再生時には、圧縮済みの画像データを読み出し、読み出した画像データを伸長することも行う。
【００２８】
ビデオ信号出力回路２２０８は、ＳＤＲＡＭ２０７から画像データを読み出し、読み出した画像データをビデオ信号に変換してモニタ駆動回路２１０に出力する。タッチセンサ２１５とともに入力検出部として機能するタッチセンサ入力回路２２０９は、タッチセンサ２１５からの信号から、タッチセンサ２１５上におけるユーザの指のタッチ位置や指の動きを解析し、解析した結果をボディＣＰＵ２２０１に出力する。
【００２９】
操作入力検知回路２２１０は、操作部２１６の各操作部の操作状態を検知し、検知結果をボディＣＰＵ２２０１に通知する。操作入力検知回路２２１０を介して操作部の操作が検知された場合に、ボディＣＰＵ２２０１は、操作された操作部の操作内容に応じた制御を実行する。
【００３０】
入出力回路２２１１は、撮像素子駆動回路２０５やシャッタ駆動機構２０２の制御を行うための信号を制御回路２２０から出力するためのインターフェース回路である。通信回路２２１２は、カメラボディ２００のボディＣＰＵ２２０１と交換レンズ１００のレンズＣＰＵ１０５との通信を行うための各種処理を行う。データバス２２１３は、前処理回路２０６において得られた画像データや画像処理回路２２０６で処理された画像データ等の種々のデータを転送するための転送路である。
【００３１】
以下、図１及び図２に示したカメラ１０の動作について説明する。本実施形態におけるカメラ１０は、ユーザがファインダ用モニタ２１１を覗き込んだ状態で各種のカメラ１０の設定を行うことが可能である。
【００３２】
図３は、カメラ１０のメイン動作について示すフローチャートである。この図３の処理は、カメラ１０が撮影モードで起動された場合に実行される。カメラ１０が撮影モードで起動された場合に、ボディＣＰＵ２２０１は、アイセンサ２１２の出力から、ユーザがファインダ用モニタ２１１を利用した撮影（以下、ファインダ撮影と言う）を行おうとしているか否か、即ちユーザがファインダ用モニタ２１１を覗き込んでいるか否かを判定する（ステップＳ１０１）。
【００３３】
ステップＳ１０１の判定において、ユーザがファインダ撮影を行おうとしている場合に、ボディＣＰＵ２２０１は、ビデオ信号出力回路２２０８を介してモニタ駆動回路２１０を制御し、ファインダ用モニタ２１１の表示をオンさせる（ステップＳ１０２）。この際、ボディＣＰＵ２２０１は、入出力回路２２１１を介して撮像素子駆動回路２０５を制御することによって撮像素子２０４を駆動させる。そして、撮像素子２０４を介して得られた画像データを画像処理回路２２０６において処理し、その後、処理した画像データに基づく被写体観察用の画像をファインダ用モニタ２１１に表示させる。このような画像表示により、ユーザは、ファインダ用モニタ２１１を用いて被写体の観察を行うことが可能である。
【００３４】
ファインダ用モニタ２１１の表示をオンさせた後、ボディＣＰＵ２２０１は、ビデオ信号出力回路２２０８を介してモニタ駆動回路２１０を制御し、背面モニタ２１４の表示をオフさせる（ステップＳ１０３）。その後、ボディＣＰＵ２２０１は、ファインダタッチ処理を開始する（ステップＳ１０４）。このファインダタッチ処理の詳細については後述する。ファインダタッチ処理の後、ボディＣＰＵ２２０１は、図３の処理を終了させる。
【００３５】
また、ステップＳ１０１の判定において、ユーザがファインダ撮影を行おうとしていない場合、即ちユーザがファインダ用モニタ２１１を覗き込んでいない場合に、ボディＣＰＵ２２０１は、ビデオ信号出力回路２２０８を介してモニタ駆動回路２１０を制御し、背面モニタ２１４の表示をオンさせる（ステップＳ１０５）。この際、ボディＣＰＵ２２０１は、入出力回路２２１１を介して撮像素子駆動回路２０５を制御することによって撮像素子２０４を駆動させる。そして、撮像素子２０４を介して得られた画像データを画像処理回路２２０６において処理し、その後、処理した画像データに基づく被写体観察用の画像を背面モニタ２１４に表示させる。
【００３６】
背面モニタ２１４の表示をオンさせた後、ボディＣＰＵ２２０１は、ビデオ信号出力回路２２０８を介してモニタ駆動回路２１０を制御し、ファインダ用モニタ２１１の表示をオフさせる（ステップＳ１０６）。その後、ボディＣＰＵ２２０１は、背面モニタタッチ処理を開始する（ステップＳ１０７）。この背面モニタタッチ処理の詳細については後述する。背面モニタタッチ処理の後、ボディＣＰＵ２２０１は、図３の処理を終了させる。
【００３７】
図４は、ＡＦ動作に係る背面モニタタッチ処理の詳細を示したフローチャートである。図４の背面モニタタッチ処理において、ボディＣＰＵ２２０１は、タッチセンサ入力回路２２０９からの出力により、ユーザの指が背面モニタ２１４の画面上に接触したか否かを検出している。そして、ユーザの指が背面モニタ２１４の画面上に接触したとき、ボディＣＰＵ２２０１は、タッチセンサ入力回路２２０９からの信号に従って、ユーザの指のタッチ位置を検出する。さらに、ボディＣＰＵ２２０１は、タッチ位置の時間変化から、指の移動方向、移動距離、移動速度を検出する（ステップＳ２０１）。
【００３８】
指のタッチ位置の検出後、ボディＣＰＵ２２０１は、今回の指のタッチが背面モニタタッチ処理の実行後の最初のタッチ（ファーストタッチ）であったか否かを判定する（ステップＳ２０２）。ステップＳ２０２の判定において、今回の指のタッチが最初のタッチであった場合、ボディＣＰＵ２２０１は、ビデオ信号出力回路２２０８を介してモニタ駆動回路２１０を制御して背面モニタ２１４の画面上のユーザの指のタッチ位置に対応した位置に指標としてのＡＦターゲット枠を表示させる（ステップＳ２０３）。その後、ボディＣＰＵ２２０１は、タッチセンサ入力回路２２０９の出力から、ユーザの指が背面モニタ２１４の画面上をタップ（１回叩く）したことが検出されたか否かを判定する（ステップＳ２０４）。
【００３９】
ステップＳ２０４の判定において、ユーザの指が背面モニタ２１４の画面上をタップしたことが検出された場合に、ボディＣＰＵ２２０１は、その時点でＡＦターゲット枠が位置している被写体にフォーカスレンズが合焦されるようにＡＦ動作を実行する（ステップＳ２０５）。ＡＦ動作においては、例えばコントラストＡＦを用いることができる。コントラストＡＦにおいては、フォーカスレンズを駆動しつつ、コントラストＡＦ回路２２０２において得られる評価値に従って画像データのコントラストを評価する。そして、ＡＦターゲット枠が位置している被写体のコントラストが最大となるようにフォーカスレンズの位置を制御する。ＡＦ動作の終了後、ボディＣＰＵ２２０１は、図４の処理を終了させる。その後は、ユーザのシャッタボタン２１６２の操作を受けて撮影動作を実行する。撮影動作については従来周知の手法が適用されるので詳細な説明は省略する。また、新たなタッチが検出された場合には図４の処理が再度実行される。
【００４０】
また、ステップＳ２０１の判定において今回の指のタッチが最初のタッチでない場合又はステップＳ２０４の判定においてユーザの指が背面モニタ２１４の画面上をタップしたことが検出されていない場合に、ボディＣＰＵ２２０１は、タッチセンサ入力回路２２０９の出力から、ユーザの指が背面モニタ２１４の画面上をスライド（移動）したことが検出されたか否かを判定する（ステップＳ２０６）。ステップＳ２０６の判定において、ユーザの指が背面モニタ２１４の画面上をスライドしたことが検出された場合に、ボディＣＰＵ２２０１は、ステップＳ２０１で検出した指の移動方向（スライド方向）に従ってＡＦターゲット枠の表示位置を移動させる（ステップＳ２０７）。これにより、ＡＦ対象の被写体が変更される。ＡＦターゲット枠の表示位置を移動させた後、ボディＣＰＵ２２０１は、図４の処理を終了させる。
【００４１】
また、ステップＳ２０６の判定において、ユーザの指が背面モニタ２１４の画面上をスライドしたことが検出されていない場合に、ボディＣＰＵ２２０１は、タッチセンサ入力回路２２０９の出力から、ユーザの指のタッチが解除（リリース）されたことが検出されたか否かを判定する（ステップＳ２０８）。ステップＳ２０８の判定において、ユーザの指のリリースが検出された場合に、ボディＣＰＵ２２０１は、ステップＳ２０５のＡＦ動作を実行する。一方、ステップＳ２０８の判定において、ユーザの指のリリースが検出された場合に、ボディＣＰＵ２２０１は、図４の処理を終了させる。
【００４２】
図５は、ＡＦ動作に係るファインダタッチ処理の詳細を示したフローチャートである。ここで、図５の説明においては、図８を併用して説明を行う。図５のファインダタッチ処理において、ボディＣＰＵ２２０１は、タッチセンサ入力回路２２０９からの出力により、ユーザの指が背面モニタ２１４の画面上に接触したか否かを検出している。そして、ユーザの指が背面モニタ２１４の画面上に接触したとき、ボディＣＰＵ２２０１は、タッチセンサ入力回路２２０９からの信号に従って、ユーザの指のタッチ位置を検出する。さらに、ボディＣＰＵ２２０１は、タッチ位置の時間変化から、指の移動方向、移動距離、移動速度を検出する（ステップＳ３０１）。
【００４３】
指のタッチ位置の検出後、ボディＣＰＵ２２０１は、今回の指のタッチがファインダタタッチ処理の実行後の最初のタッチ（ファーストタッチ）であったか否かを判定する（ステップＳ３０２）。ステップＳ３０２の判定において、今回の指のタッチが最初のタッチであった場合、ボディＣＰＵ２２０１は、図８に示す初期位置設定を行う。この際、ボディＣＰＵ２２０１は、ビデオ信号出力回路２２０８を介してモニタ駆動回路２１０を制御してファインダ用モニタ２１１の画面上の所定位置、例えば中央位置に指標としてのＡＦターゲット枠２１１ａを表示させる（ステップＳ３０３）。その後、ボディＣＰＵ２２０１は、図５の処理を終了させる。ここでは初期位置をファインダ用モニタ２１１の画面上の中央位置としたが、これに限るものではない。背面モニタ２１４上のタッチ位置に応じて初期位置を設定するようにしても良い。
【００４４】
また、ステップＳ３０２の判定において、今回の指のタッチが最初のタッチでなかった場合、ボディＣＰＵ２２０１は、タッチセンサ入力回路２２０９の出力から、ユーザの指が背面モニタ２１４の画面上をスライド（移動）したことが検出されたか否かを判定する（ステップＳ３０４）。
【００４５】
ステップＳ３０４の判定において、ユーザの指が背面モニタ２１４の画面上をスライドしたことが検出された場合に、ボディＣＰＵ２２０１は、スライドの結果、ユーザの指の位置が背面モニタ２１４の画面外となったか否か、即ち図８に示すようなユーザの指のスライドアウトが検出されたか否かを判定する（ステップＳ３０５）。ステップＳ３０５の判定において、ユーザの指のスライドアウトが検出された場合に、ボディＣＰＵ２２０１は、図８に示すように、ファインダ用モニタ２１１におけるＡＦターゲット枠の表示を終了させる（ステップＳ３０６）。そして、ボディＣＰＵ２２０１は、ＡＦターゲット枠の位置を初期化する（ステップＳ３０７）。その後、ボディＣＰＵ２２０１は、図５の処理を終了させる。
【００４６】
また、ステップＳ３０５の判定において、ユーザの指のスライドアウトが検出されていない場合、即ち背面モニタ２１４上でのユーザの指のスライド（図８に示す単純なスライドやスライド軌跡がＪ字状の「Ｊスライド」やスライド軌跡がＬ字状の「Ｌスライド」等）が検出されている場合に、ボディＣＰＵ２２０１は、ＡＦターゲット枠２１１ａの表示を移動中表示２１１ｂに変更する（ステップＳ３０８）。その後、ボディＣＰＵ２２０１は、ユーザの指の移動速度（スライド速度）が所定速度より高速であるか否かを判定する（ステップＳ３０９）。ステップＳ３０９の判定において、ユーザの指の移動速度が所定速度よりも高速である場合に、ボディＣＰＵ２２０１は、図８に示すように、指の移動方向に従って移動中表示２１１ｂを高速で移動させる、即ち単位時間当たりの移動中表示２１１ｂの位置の移動幅を大きくする（ステップＳ３１０）。その後、ボディＣＰＵ２２０１は、図５の処理を終了させる。また、ステップＳ３０９の判定において、ユーザの指の移動速度が所定速度よりも高速でない場合に、ボディＣＰＵ２２０１は、指の移動方向に従って移動中表示２１１ｂを低速で移動させる、即ち単位時間当たりの移動中表示２１１ｂの位置の移動幅を小さくする（ステップＳ３１１）。
【００４７】
また、ステップＳ３０４の判定において、ユーザの指が背面モニタ２１４の画面上をスライドしたことが検出されていない場合に、ボディＣＰＵ２２０１は、タッチセンサ入力回路２２０９の出力から、ユーザの指が背面モニタ２１４の画面上を弾いた（スナップ）したことが検出されたか否かを判定する（ステップＳ３１２）。ステップＳ３１２の判定において、ユーザの指が背面モニタ２１４の画面上をスナップしたことが検出された場合に、ボディＣＰＵ２２０１は、図８に示すようにしてＡＦターゲット枠２１１ａを移動中表示２１１ｂとし、この移動中表示２１１ｂを別の被写体の顔位置に移動させるようにファインダ用モニタ２１１の表示を更新する（ステップＳ３１３）。その後、ボディＣＰＵ２２０１は、図５の処理を終了させる。ここで、ファインダ用モニタ２１１の画面内の顔の位置は、周知の顔検出技術によって検出することが可能である。このようにしてファインダ用モニタ２１１の画面内の離散的に複数定められた位置に移動中表示２１１ｂを順次移動させることにより、ユーザは指のスライド操作によってＡＦターゲット枠を顔位置まで移動させる必要はない。
【００４８】
また、ステップＳ３１２の判定において、ユーザの指が背面モニタ２１４の画面上をスナップしたことが検出されていない場合に、ボディＣＰＵ２２０１は、タッチセンサ入力回路２２０９の出力から、ユーザの指が背面モニタ２１４の画面上をダブルタップ（２回叩く）したことが検出されたか否かを判定する（ステップＳ３１４）。ステップＳ３１４の判定において、ユーザの指が背面モニタ２１４の画面上をダブルタップしたことが検出された場合に、ボディＣＰＵ２２０１は、その時点でＡＦターゲット枠が位置している被写体にフォーカスレンズが合焦されるようにＡＦ動作を実行する（ステップＳ３１５）。その後、ボディＣＰＵ２２０１は、図５の処理を終了させる。ＡＦ動作については、先の背面モニタタッチ処理で説明したものと同様に行われる。
【００４９】
また、ステップＳ３１４の判定において、ユーザの指が背面モニタ２１４の画面上をダブルタップしたことが検出されていない場合に、ボディＣＰＵ２２０１は、タッチセンサ入力回路２２０９の出力から、ユーザの指が背面モニタ２１４の画面上で停止（ストップ）していることが検出されたか否かを判定する（ステップＳ３１６）。ステップＳ３１６の判定において、ユーザの指のストップが検出された場合に、ボディＣＰＵ２２０１は、図８に示すように、ＡＦターゲット枠２１１ａの表示を現在のまま保持する（ステップＳ３１７）。または、移動中表示２１１ｂのまま保持しておくようにする。その後、ボディＣＰＵ２２０１は、図５の処理を終了させる。
【００５０】
また、ステップＳ３１６の判定において、ユーザの指のストップが検出されていない場合に、ボディＣＰＵ２２０１は、ファインダ用モニタ２１１の画面内にＡＦターゲット枠２１１ａを再表示する（ステップＳ３１８）。その後、ボディＣＰＵ２２０１は、図５の処理を終了させる。
【００５１】
以上説明したようなファインダタッチ処理においては、背面モニタ２１４の画面上で各種のタッチ操作がなされることによってファインダ用モニタ２１１上でのＡＦターゲット枠の表示が更新される。これにより、ユーザは、覗き込み型のファインダ用モニタ２１１を覗き込んで被写体の状態を観察しつつ、ＡＦ動作に関する設定を行うことが可能である。即ち、本実施形態におけるファインダタッチ処理においてはタッチ操作が行われる部分とタッチ操作に伴って表示の更新が行われる部分とを別体とすることでタッチセンサ２１５の操作性を維持しつつ、覗き込み型のファインダ用モニタ２１１上でのＡＦ動作に関する設定を行えるようにしている。
【００５２】
また、上述したように、ファインダタッチ処理は、ユーザがファインダ用モニタ２１１を覗き込んでいる場合に実行される。この場合、ユーザは構図決定のためにカメラボディ２００を構えた状態であることが想定される。このようなカメラボディ２００を構えた状態では背面モニタ２１４上で指を長距離移動させることが困難であり、背面モニタ２１４の任意の位置を指で直接的に指定するのは困難である。このため、本実施形態では指のスライド操作等を検出してＡＦターゲット枠の表示位置を順次移動させる等している。このように、本実施形態では、背面モニタ２１４上での指の動きをファインダ用モニタ２１１上でのＡＦターゲット枠の動きに変換しているので、タッチセンサ２１５の検出領域を背面モニタ２１４の一部領域のみのとしても良い。
【００５３】
ここで、図５で示した各種のタッチ操作とそれによって実行される表示との関係は一例である。例えば、タップ操作はタッチ操作であっても良い。また、ストップ操作をリリース操作としたり、ダブルタップ操作を所定の角位置をタップする操作（アザーコーナータップ操作）としたりしても良い。
【００５４】
また、図５の例は、ＡＦ動作時のファインダタッチ処理を例示しているが、例えば自動露出制御（ＡＥ）の目標被写体の選択やコンティニュアスＡＦにおける追尾被写体の選択、顔検出の対象の選択等にも図５の処理を適用可能である。
【００５５】
図６は、パラメータ設定に係る背面モニタタッチ処理の詳細を示したフローチャートである。パラメータ設定に係る背面モニタタッチ処理もＡＦ動作における背面モニタタッチ処理と同様に、ユーザがファインダ用モニタ２１１を覗き込んでいない場合に実行される。また、パラメータ設定に係る背面モニタタッチ処理は、例えばユーザによってパラメータ設定画面の表示指示がなされた場合に行う。パラメータ設定画面の表示指示がなされていない間は、ＡＦ動作に係る背面モニタタッチ処理を行う。
図６の背面モニタタッチ処理において、ボディＣＰＵ２２０１は、タッチセンサ入力回路２２０９からの出力により、ユーザの指が背面モニタ２１４の画面上に接触したか否かを検出している。そして、ユーザの指が背面モニタ２１４の画面上に接触したとき、ボディＣＰＵ２２０１は、タッチセンサ入力回路２２０９からの信号に従って、ユーザの指のタッチ位置を検出する。さらに、ボディＣＰＵ２２０１は、タッチ位置の時間変化から、指の移動方向、移動距離、移動速度を検出する（ステップＳ４０１）。
指のタッチ位置の検出後、ボディＣＰＵ２２０１は、今回の指のタッチが背面モニタタッチ処理の実行後の最初のタッチ（ファーストタッチ）であったか否かを判定する（ステップＳ４０２）。ステップＳ４０２の判定において、今回の指のタッチが最初のタッチであった場合、ボディＣＰＵ２２０１は、ビデオ信号出力回路２２０８を介してモニタ駆動回路２１０を制御して背面モニタ２１４の画面上にカメラ１０のパラメータ設定画面を表示させる（ステップＳ４０３）。このパラメータ設定画面においては、プログラム露出モードの設定やホワイトバランス設定、撮像素子２０４の感度（ＩＳＯ感度）設定といったカメラ１０の各種の設定項目を表示させる。その後、ボディＣＰＵ２２０１は、背面モニタ２１４に表示させたパラメータ設定画面において現在選択されている項目上に指標としてのカーソルを表示させる（ステップＳ４０４）。
【００５６】
また、ステップＳ４０２の判定において、今回の指のタッチが最初のタッチでない場合、ボディＣＰＵ２２０１は、タッチセンサ入力回路２２０９の出力から、ユーザの指が背面モニタ２１４の画面上を接触（タッチ）したことが検出されたか否かを判定する（ステップＳ４０５）。ステップＳ４０５の判定において、ユーザの指が背面モニタ２１４の画面上をタッチしたことが検出された場合に、ボディＣＰＵ２２０１は、ステップＳ４０１で検出した指のタッチ位置にカーソルの表示位置を移動させる（ステップＳ４０６）。
【００５７】
また、ステップＳ４０５の判定において、ユーザの指が背面モニタ２１４の画面上をタッチしたことが検出されていない場合に、ボディＣＰＵ２２０１は、タッチセンサ入力回路２２０９の出力から、ユーザの指が背面モニタ２１４の画面上を移動（スライド）したことが検出されたか否かを判定する（ステップＳ４０７）。ステップＳ４０７の判定において、ユーザの指が背面モニタ２１４の画面上をスライドしたことが検出された場合に、ボディＣＰＵ２２０１は、ステップＳ４０１で検出した指の移動方向（スライド方向）に従ってカーソルの表示位置を移動させる（ステップＳ４０８）。これによって、項目の選択が行われる。
【００５８】
また、ステップＳ４０７の判定において、ユーザの指が背面モニタ２１４の画面上をスライドしたことが検出されていない場合に、ボディＣＰＵ２２０１は、タッチセンサ入力回路２２０９の出力から、ユーザの指が背面モニタ２１４の画面上をスナップしたことが検出されたか否かを判定する（ステップＳ４０９）。ステップＳ４０９の判定において、ユーザの指が背面モニタ２１４の画面上をスナップしたことが検出された場合に、ボディＣＰＵ２２０１は、ステップＳ４０１で検出した指の移動方向（スナップ方向）に従ってカーソルの表示位置を移動させる（ステップＳ４１０）。この際、スナップ方向の端部位置にカーソルの表示位置を移動させる。
【００５９】
また、ステップＳ４０９の判定において、ユーザの指が背面モニタ２１４の画面上をスナップしたことが検出されていない場合に、ボディＣＰＵ２２０１は、タッチセンサ入力回路２２０９の出力から、ユーザの指が背面モニタ２１４の画面上の所定位置（例えば画面端や所定の表示終了ボタンの表示位置）をタッチしたことが検出されたか否かを判定する（ステップＳ４１１）。ステップＳ４１１の判定において、ユーザの指が背面モニタ２１４の画面上の所定位置をタッチしたことが検出された場合に、ボディＣＰＵ２２０１は、ビデオ信号出力回路２２０８を介してモニタ駆動回路２１０を制御してパラメータ設定画面の表示を終了させる（ステップＳ４１２）。
【００６０】
また、ステップＳ４０４、Ｓ４０６、Ｓ４０８、Ｓ４１０、Ｓ４１２の後、ボディＣＰＵ２２０１は、その時点でカーソルが位置している項目に従ってカメラ１０の設定パラメータを確定する（ステップＳ４１３）。その後、ボディＣＰＵ２２０１は、図６の処理を終了させる。
【００６１】
図７は、パラメータ設定に係るファインダモニタタッチ処理の詳細を示したフローチャートである。パラメータ設定に係るファインダタッチ処理もＡＦ動作におけるファインダタッチ処理と同様に、ユーザがファインダ用モニタ２１１を覗き込んでいる場合に実行される。また、パラメータ設定に係るファインダタッチ処理は、例えばユーザによってパラメータ設定画面の表示指示がなされた場合に行う。パラメータ設定画面の表示指示がなされていない間は、ＡＦ動作に係るファインダタッチ処理を行う。
図７のファインダタッチ処理において、ボディＣＰＵ２２０１は、タッチセンサ入力回路２２０９からの出力により、ユーザの指が背面モニタ２１４の画面上に接触したか否かを検出している。そして、ユーザの指が背面モニタ２１４の画面上に接触したとき、ボディＣＰＵ２２０１は、タッチセンサ入力回路２２０９からの信号に従って、ユーザの指のタッチ位置を検出する。さらに、ボディＣＰＵ２２０１は、タッチ位置の時間変化から、指の移動方向、移動距離、移動速度を検出する（ステップＳ５０１）。
【００６２】
指のタッチ位置の検出後、ボディＣＰＵ２２０１は、今回の指のタッチが背面モニタタッチ処理の実行後の最初のタッチ（ファーストタッチ）であったか否かを判定する（ステップＳ５０２）。ステップＳ５０２の判定において、今回の指のタッチが最初のタッチであった場合、ボディＣＰＵ２２０１は、ビデオ信号出力回路２２０８を介してモニタ駆動回路２１０を制御してファインダ用モニタ２１１の画面上にカメラ１０のパラメータ設定画面を表示させる（ステップＳ５０３）。図８にファインダタッチ処理におけるパラメータ設定画面について示す。図８に示すように、ファインダタッチ処理においては、ファインダ用モニタ２１１の画面上の周辺部領域にパラメータ設定画面を表示させる。そして、この周辺部領域に表示させたパラメータ設定画面上に指標としてのカーソル２１１ｃ、２１１ｄを表示させる。これは、覗き込み型のファインダ用モニタ２１１に対するタッチ操作の操作性を考慮したものである。なお、図８ではパラメータ設定画面を画面右端から画面下端にかけて表示させているが、これに限るものではない。例えばユーザが左利きの場合にはパラメータ設定画面を画面左端から画面下端にかけて表示させるようにしても良い。このような表示位置の設定はユーザが適宜行えるものとする。
【００６３】
また、ステップＳ５０２の判定において、今回の指のタッチが最初のタッチでない場合、ボディＣＰＵ２２０１は、ユーザの指が背面モニタ２１４の画面上を移動（スライド）したことが検出されたか否かを判定する（ステップＳ５０４）。ステップＳ５０４の判定において、ユーザの指が背面モニタ２１４の画面上をスライドしたことが検出された場合に、ボディＣＰＵ２２０１は、ステップＳ５０１で検出した指の移動方向（スライド方向）に従ってカーソル２１１ｃ又はカーソル２１２ｄの表示位置を移動させる（ステップＳ５０５）。この際、先にカーソル２１１ｃの項目が確定されていた場合には、カーソル２１２ｄの表示位置を移動させる。このようなカーソルの表示位置の移動によって、項目の選択が行われる。ファインダ用モニタ２１１では直接的にカーソル２１１ｃやカーソル２１１ｄの位置を指定するのが困難であるので、背面モニタタッチ処理のステップＳ４０５及びＳ４０６に対応した処理は省略されている。
【００６４】
また、ステップＳ５０４の判定において、ユーザの指が背面モニタ２１４の画面上をスライドしたことが検出されていない場合に、ボディＣＰＵ２２０１は、タッチセンサ入力回路２２０９の出力から、ユーザの指が背面モニタ２１４の画面上をスナップしたことが検出されたか否かを判定する（ステップＳ５０６）。ステップＳ５０６の判定において、ユーザの指が背面モニタ２１４の画面上をスナップしたことが検出された場合に、ボディＣＰＵ２２０１は、ステップＳ５０１で検出した指の移動方向（スナップ方向）に従ってカーソル２１１ｃやカーソル２１１ｄの表示位置を移動させる（ステップＳ５０７）。この際、スナップ方向の端部位置にカーソル２１１ｃ又はカーソル２１１ｄの表示位置を移動させる。
【００６５】
また、ステップＳ５０６の判定において、ユーザの指が背面モニタ２１４の画面上をスナップしたことが検出されていない場合に、ボディＣＰＵ２２０１は、タッチセンサ入力回路２２０９の出力から、ユーザの指が背面モニタ２１４の画面上の所定位置（例えば画面端）をタッチしたことが検出されたか否かを判定する（ステップＳ５０８）。ステップＳ５０８の判定において、ユーザの指が背面モニタ２１４の画面上の所定位置をタッチしたことが検出された場合に、ボディＣＰＵ２２０１は、ビデオ信号出力回路２２０８を介してモニタ駆動回路２１０を制御してパラメータ設定画面の表示を終了させる（ステップＳ５０９）。また、ステップＳ５０８の判定において、ユーザの指が背面モニタ２１４の画面上の所定位置をタッチしたことが検出されていない場合に、ボディＣＰＵ２２０１は、タッチセンサ入力回路２２０９の出力から、ユーザの指が背面モニタ２１４の画面上をダブルタップ（２回叩く）したことが検出されたか否かを判定する（ステップＳ５１０）。ステップＳ５１０の判定において、ユーザの指が背面モニタ２１４の画面上をダブルタップしたことが検出された場合に、ボディＣＰＵ２２０１は、ステップＳ５０９の処理を行う。即ち、ボディＣＰＵ２２０１は、パラメータ設定画面の表示を終了させる。
【００６６】
また、ステップＳ５０３、Ｓ５０５、Ｓ５０７、Ｓ５０９の後、又はステップＳ５１０においてユーザの指が背面モニタ２１４の画面上をダブルタップしたことが検出されていない場合に、ボディＣＰＵ２２０１は、その時点でカーソル２１１ｃやカーソル２１１ｄが位置している項目に従ってカメラ１０の設定パラメータを確定する（ステップＳ５１１）。その後、ボディＣＰＵ２２０１は、図７の処理を終了させる。
【００６７】
以上説明したようなファインダタッチ処理においては、背面モニタ２１４の画面上で各種のタッチ操作がなされることによってカメラ１０のパラメータ設定画面におけるカーソルの表示が更新される。これにより、ユーザは、覗き込み型のファインダ用モニタ２１１を覗き込んで被写体の状態を観察しつつ、カメラ１０に関する各種のパラメータ設定を行うことが可能である。
【００６８】
以上実施形態に基づいて本発明を説明したが、本発明は上述した実施形態に限定されるものではなく、本発明の要旨の範囲内で種々の変形や応用が可能なことは勿論である。例えば、上述の例ではＡＦ動作時のファインダタッチ処理とパラメータ設定時のファインダタッチ処理について説明したが、この他の各種のカメラ１０の設定に本実施形態の技術を適用することが可能である。また、上述の例は、表示装置が撮像装置に搭載されている例を示したが、本実施形態の技術は覗き込み型の表示部とタッチセンサとを備えた各種の表示装置に適用可能である。
さらに、前記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００６９】
１０…カメラ、１００…交換レンズ、１０１…撮影レンズ、１０２…絞り機構、１０３…フォーカス駆動機構、１０４…絞り駆動機構、１０５…レンズＣＰＵ、１０６…通信端子、２００…カメラボディ、２０１…フォーカルプレーンシャッタ（シャッタ）、２０２…シャッタ駆動機構、２０３…フィルタ群、２０４…撮像素子、２０５…撮像素子駆動回路、２０６…前処理回路、２０７…ＳＤＲＡＭ、２０８…フラッシュメモリ、２０９…記録媒体、２１０…モニタ駆動回路、２１１…ファインダ用モニタ、２１２…アイセンサ、２１３…接眼レンズ、２１４…背面モニタ、２１５…タッチセンサ、２１６…操作部、２１７…着脱検知スイッチ、２１８…電源供給回路、２１９…電池、２２０…制御回路、２１６１…電源スイッチ、２１６２…シャッタボタン、２１６３…設定ボタン、２１６４…操作ダイヤル、２２０１…シーケンスコントローラ（ボディＣＰＵ）、２２０２…コントラストＡＦ回路、２２０３…ＳＤＲＡＭ制御回路、２２０４…フラッシュメモリ制御回路、２２０５…記録媒体制御回路、２２０６…画像処理回路、２２０７…圧縮伸長処理回路、２２０８…ビデオ信号出力回路、２２０９…タッチセンサ入力回路、２２１０…操作入力検知回路、２２１１…入出力回路、２２１２…通信回路、２２１３…データバス
【図１】
0005872783.tif 000002
【図２】
0005872783.tif 000003
【図３】
0005872783.tif 000004
【図４】
0005872783.tif 000005
【図５】
0005872783.tif 000006
【図６】
0005872783.tif 000007
【図７】
0005872783.tif 000008
【図８】
0005872783.tif 000009